【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
格子状に配線された複数のデータ線及び走査線と、前記データ線と前記走査線との各交差部に対応して配置された電気光学素子と、を備えた電気光学装置であって、
前記データ線を駆動可能なデータ線駆動回路と、前記データ線駆動回路とは別に前記データ線を駆動可能な副データ線駆動回路と、を備えていることを特徴とする電気光学装置。
【請求項２】
請求項１記載の電気光学装置において、前記データ線駆動回路は、前記複数のデータ線を接続し、前記副データ線駆動回路には、前記複数のデータ線のうちの一部のみを選択的に接続したことを特徴とする電気光学装置。
【請求項３】
請求項１又は２に記載の電気光学装置において、前記副データ線駆動回路が、デコーダを備えていることを特徴とする電気光学装置。
【請求項４】
請求項１から３のいずれかに記載の電気光学装置において、前記データ線駆動回路及び前記副データ線駆動回路のうち少なくともいずれかが、シフトレジスタを備えていることを特徴とする電気光学装置。
【請求項５】
請求項１から４のいずれかに記載の電気光学装置において、前記データ線駆動回路及び前記副データ線駆動回路のうち少なくともいずれかが、ラッチ回路を備えていることを特徴とする電気光学装置。
【請求項６】
請求項１から５のいずれかに記載の電気光学装置において、前記データ線駆動回路及び前記副データ線駆動回路のうち少なくともいずれかが、Ｄ／Ａコンバータ回路を備えていることを特徴とする電気光学装置。
【請求項７】
請求項１から６のいずれかに記載の電気光学装置において、前記副データ線駆動回路には、前記複数のデータ線のうち、表示画面の特定領域に配されたデータ線のみを選択的に接続したことを特徴とする電気光学装置。
【請求項８】
請求項１から７のいずれかに記載の電気光学装置において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴とする電気光学装置。
【請求項９】
請求項８記載の電気光学装置において、前記副データ線駆動回路には、前記一部の色に対応したデータ線であって、表示画面の特定領域に配されたデータ線のみを選択的に接続したことを特徴とする電気光学装置。
【請求項１０】
請求項１から９のいずれかに記載の電気光学装置において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴とする電気光学装置。
【請求項１１】
請求項１から１０のいずれかに記載の電気光学装置において、前記複数の走査線を駆動可能な走査線駆動回路と、前記走査線駆動回路とは別に前記複数の走査線を駆動可能な副走査線駆動回路とを備え、
前記走査線駆動回路には、前記複数の走査線を接続し、前記副走査線駆動回路には、前記複数の走査線のうちの一部のみを選択的に接続したことを特徴とする電気光学装置。
【請求項１２】
請求項１１記載の電気光学装置において、前記走査線駆動回路及び前記副走査線駆動回路のうち少なくともいずれかが、デコーダを備えていることを特徴とする電気光学装置。
【請求項１３】
請求項１１又は１２に記載の電気光学装置において、前記走査線駆動回路及び前記副走査線駆動回路のうち少なくともいずれかが、シフトレジスタを備えていることを特徴とする電気光学装置。
【請求項１４】
請求項１１から１３のいずれかに記載の電気光学装置において、前記副走査線駆動回路には、前記複数の走査線のうち、表示画面の特定領域に配された走査線のみを選択的に接続したことを特徴とする電気光学装置。
【請求項１５】
請求項１１から１４のいずれかに記載の電気光学装置において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴とする電気光学装置。
【請求項１６】
請求項１０又は１５に記載の電気光学装置において、前記キャラクタ表示モードが選択されている場合には、前記全ドット表示モードが選択されている場合に比べて、階調数が減じられるようになっていることを特徴とする電気光学装置。
【請求項１７】
請求項１０、１５及び１６のいずれかに記載の電気光学装置において、前記キャラクタ表示モードが選択されている場合には、前記全ドット表示モードが選択されている場合に比べて、フレーム周波数が減じられるようになっていることを特徴とする電気光学装置。
【請求項１８】
請求項１０、１５、１６及び１７のいずれかに記載の電気光学装置において、前記全ドット表示モードから前記キャラクタ表示モードに移行する際に全画素を一斉にリセットできるようにしたことを特徴とする電気光学装置。
【請求項１９】
請求項１から１８のいずれかに記載の電気光学装置において、一画面分の走査線が駆動される期間内に、前記データ線駆動回路と前記副データ線回路とを切り替えて前記複数のデータ線を駆動することを特徴とする電気光学装置。
【請求項２０】
格子状に配線された複数のデータ線及び複数の走査線と、前記複数のデータ線と前記複数の走査線との各交差部に対応して配置された電気光学素子と、を備えた電気光学装置の駆動方法であって、
前記複数のデータ線を駆動可能なデータ線駆動回路と、前記データ線駆動回路とは別に前記複数のデータ線を駆動可能な副データ線駆動回路とを切り替えて前記複数のデータ線を駆動することを特徴とする電気光学装置の駆動方法。
【請求項２１】
請求項２０記載の電気光学装置の駆動方法において、前記データ線駆動回路には、前記複数のデータ線を接続し、前記副データ線駆動回路には、前記複数のデータ線のうちの一部のみを選択的に接続したことを特徴とする電気光学装置の駆動方法。
【請求項２２】
請求項２０又は２１に記載の電気光学装置の駆動方法において、前記副データ線駆動回路が、デコーダを備えていることを特徴とする電気光学装置の駆動方法。
【請求項２３】
請求項２０から２２のいずれかに記載の電気光学装置の駆動方法において、前記データ線駆動回路及び前記副データ線駆動回路のうち少なくともいずれかが、シフトレジスタを備えていることを特徴とする電気光学装置の駆動方法。
【請求項２４】
請求項２０から２３のいずれかに記載の電気光学装置の駆動方法において、前記データ線駆動回路及び前記副データ線駆動回路のうち少なくともいずれかが、ラッチ回路を備えていることを特徴とする電気光学装置の駆動方法。
【請求項２５】
請求項２０から２４のいずれかに記載の電気光学装置の駆動方法において、前記データ線駆動回路及び前記副データ線駆動回路のうち少なくともいずれかが、Ｄ／Ａコンバータ回路を備えていることを特徴とする電気光学装置の駆動方法。
【請求項２６】
請求項２０から２５のいずれかに記載の電気光学装置の駆動方法において、前記副データ線駆動回路には、前記複数のデータ線のうち、表示画面の特定領域に配されたデータ線のみを選択的に接続したことを特徴とする電気光学装置の駆動方法。
【請求項２７】
請求項２０から２６のいずれかに記載の電気光学装置の駆動方法において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴とする電気光学装置の駆動方法。
【請求項２８】
請求項２７記載の電気光学装置の駆動方法において、前記副データ線駆動回路には、前記一部の色に対応したデータ線であって、表示画面の特定領域に配されたデータ線のみを選択的に接続したことを特徴とする電気光学装置の駆動方法。
【請求項２９】
請求項２０から２８のいずれかに記載の電気光学装置の駆動方法において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴とする電気光学装置の駆動方法。
【請求項３０】
請求項２０から２９のいずれかに記載の電気光学装置の駆動方法において、前記複数の走査線を接続し、当該複数の走査線を駆動可能な走査線駆動回路と、前記複数の走査線のうちの一部のみを選択的に接続し、前記走査線駆動回路とは別に当該一部の走査線を駆動可能な副走査線駆動回路とを切り替えて前記複数の走査線を駆動することを特徴とする電気光学装置の駆動方法。
【請求項３１】
請求項３０記載の電気光学装置の駆動方法において、前記走査線駆動回路及び前記副走査線駆動回路のうち少なくともいずれかが、デコーダを備えていることを特徴とする電気光学装置の駆動方法。
【請求項３２】
請求項３０又は３１に記載の電気光学装置の駆動方法において、前記走査線駆動回路及び前記副走査線駆動回路のうち少なくともいずれかが、シフトレジスタを備えていることを特徴とする電気光学装置の駆動方法。
【請求項３３】
請求項３０から３２のいずれかに記載の電気光学装置の駆動方法において、前記副走査線駆動回路には、前記複数の走査線のうち、表示画面の特定領域に配された走査線のみを選択的に接続したことを特徴とする電気光学装置の駆動方法。
【請求項３４】
請求項３０から３３のいずれかに記載の電気光学装置の駆動方法において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴とする電気光学装置の駆動方法。
【請求項３５】
請求項２９又は３４に記載の電気光学装置の駆動方法において、前記キャラクタ表示モードが選択されている場合には、前記全ドット表示モードが選択されている場合に比べて、階調数が減じられるようになっていることを特徴とする電気光学装置の駆動方法。
【請求項３６】
請求項２９、３４及び３５のいずれかに記載の電気光学装置の駆動方法において、前記キャラクタ表示モードが選択されている場合には、前記全ドット表示モードが選択されている場合に比べて、フレーム周波数が減じられるようになっていることを特徴とする電気光学装置の駆動方法。
【請求項３７】
請求項２９、３４、３５及び３６のいずれかに記載の電気光学装置の駆動方法において、前記全ドット表示モードから前記キャラクタ表示モードに移行する際に全画素を一斉にリセットできるようにしたことを特徴とする電気光学装置の駆動方法。
【請求項３８】
請求項２０から３７のいずれかに記載の電気光学装置の駆動方法において、一画面分の走査線が駆動される期間内に、前記データ線駆動回路と前記副データ線回路とを切り替えて前記データ線を駆動することを特徴とする電気光学装置の駆動方法。
【請求項３９】
格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記複数の行方向配線を駆動可能な行駆動回路と、を備えた有機エレクトロルミネッセンス表示装置において、
前記データ線駆動回路とは別に、デコーダを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴とする有機エレクトロルミネッセンス表示装置。
【請求項４０】
格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記行方向配線を駆動可能な行駆動回路と、を備えた有機エレクトロルミネッセンス表示装置において、
前記データ線駆動回路とは別に、シフトレジスタを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴とする有機エレクトロルミネッセンス表示装置。
【請求項４１】
請求項３９又は４０に記載の有機エレクトロルミネッセンス表示装置において、前記データ線駆動回路を、シフトレジスタを含んで構成したことを特徴とする有機エレクトロルミネッセンス表示装置。
【請求項４２】
請求項３９から４１のいずれかに記載の有機エレクトロルミネッセンス表示装置において、前記行駆動回路を、デコーダを含んで構成したことを特徴とする有機エレクトロルミネッセンス表示装置。
【請求項４３】
請求項３９から４２のいずれかに記載の有機エレクトロルミネッセンス表示装置において、前記副データ線駆動回路には、前記複数のデータ線のうち、表示画面の特定領域に配されたデータ線のみを選択的に接続したことを特徴とする有機エレクトロルミネッセンス表示装置。
【請求項４４】
請求項３９から４３のいずれかに記載の有機エレクトロルミネッセンス表示装置において、赤の発色が可能な前記有機エレクトロルミネッセンス素子、緑の発色が可能な前記有機エレクトロルミネッセンス素子及び青の発色が可能な前記有機エレクトロルミネッセンス素子の３ドットを１画素とすることによりカラー表示が可能となっており、前記副データ線駆動回路には、前記三色のうちの一部の色に対応したデータ線のみを選択的に接続したことを特徴とする有機エレクトロルミネッセンス表示装置。
【請求項４５】
請求項４４記載の有機エレクトロルミネッセンス表示装置において、前記一部の色は緑であることを特徴とする有機エレクトロルミネッセンス表示装置。
【請求項４６】
請求項４４又は４５に記載の有機エレクトロルミネッセンス表示装置において、前記副データ線駆動回路には、前記一部の色に対応したデータ線であって、表示画面の特定領域に配されたデータ線のみを選択的に接続したことを特徴とする有機エレクトロルミネッセンス表示装置。
【請求項４７】
請求項３９から４６のいずれかに記載の有機エレクトロルミネッセンス表示装置において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴とする有機エレクトロルミネッセンス表示装置。
【請求項４８】
請求項３９から４６のいずれかに記載の有機エレクトロルミネッセンス表示装置において、前記行駆動回路とは別に、デコーダを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴とする有機エレクトロルミネッセンス表示装置。
【請求項４９】
請求項３９から４６のいずれかに記載の有機エレクトロルミネッセンス表示装置において、前記行駆動回路とは別に、シフトレジスタを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴とする有機エレクトロルミネッセンス表示装置。
【請求項５０】
請求項４８又は４９に記載の有機エレクトロルミネッセンス表示装置において、前記副行駆動回路には、前記複数の行方向配線のうち、表示画面の特定領域に配された行方向配線のみを選択的に接続したことを特徴とする有機エレクトロルミネッセンス表示装置。
【請求項５１】
請求項４９から５０のいずれかに記載の有機エレクトロルミネッセンス表示装置において、全ドット表示モードとキャラクタ表示モードとの間で切換が可能となっており、前記全ドット表示モードが選択されている場合には、前記データ線駆動回路及び行駆動回路が有効となり、前記キャラクタ表示モードが選択されている場合には、前記副データ線駆動回路及び前記副行駆動回路が有効となるようになっていることを特徴とする有機エレクトロルミネッセンス表示装置。
【請求項５２】
請求項４７又は５１に記載の有機エレクトロルミネッセンス表示装置において、前記キャラクタ表示モードが選択されている場合には、前記全ドット表示モードが選択されている場合に比べて、階調数が減じられるようになっていることを特徴とする有機エレクトロルミネッセンス表示装置。
【請求項５３】
請求項４７、５１及、５２のいずれかに記載の有機エレクトロルミネッセンス表示装置において前記キャラクタ表示モードが選択されている場合には、前記全ドット表示モードが選択されている場合に比べて、フレーム周波数が減じられるようになっていることを特徴とする有機エレクトロルミネッセンス表示装置。
【請求項５４】
請求項４７、５１、５２及び５３のいずれかに記載の有機エレクトロルミネッセンス表示装置において、前記全ドット表示モードから前記キャラクタ表示モードに移行する際に全画素を一斉にリセットできるようにしたことを特徴とする有機エレクトロルミネッセンス表示装置。
【請求項５５】
請求項２０乃至３７のいずれかに記載の電気光学装置の駆動方法において、
１水平走査期間内に前記データ線駆動回路と前記副データ線駆動回路とを切り替えて前記複数のデータ線を駆動することを特徴とする電気光学装置の駆動方法。
【請求項５６】
データを表示する表示装置を備えている電子機器であって、
前記表示装置として、請求項１から１９のいずれかに記載の電気光学装置又は請求項３９から５４のいずれかに記載の有機エレクトロルミネッセンス表示装置を使用したことを特徴とする電子機器。
【手続補正２】
【補正対象書類名】明細書
【補正対象項目名】００１６
【補正方法】変更
【補正の内容】
【００１６】
本発明の第２の電気光学装置は、本発明の第１の電気光学装置である電気光学装置において、前記データ線駆動回路には、前記複数のデータ線を接続し、前記副データ線駆動回路には、前記複数のデータ線のうちの一部のみを選択的に接続したことを特徴としている。


【手続補正３】
【補正対象書類名】明細書
【補正対象項目名】００１７
【補正方法】変更
【補正の内容】
【００１７】
本発明の第３の電気光学装置は、本発明の第１又は第２の電気光学装置において、前記副データ線駆動回路が、デコーダを備えていることを特徴としている。


【手続補正４】
【補正対象書類名】明細書
【補正対象項目名】００２１
【補正方法】変更
【補正の内容】
【００２１】
本発明の第７の電気光学装置は、本発明の第１から第６の電気光学装置において、前記副データ線駆動回路には、前記複数のデータ線のうち、表示画面の特定領域に配されたデータ線のみを選択的に接続したことを特徴としている。


【手続補正５】
【補正対象書類名】明細書
【補正対象項目名】００２３
【補正方法】変更
【補正の内容】
【００２３】
本発明の第９の電気光学装置は、本発明の第８の電気光学装置において、前記副データ線駆動回路には、前記一部の色に対応したデータ線であって、表示画面の特定領域に配されたデータ線のみを選択的に接続したことを特徴としている。


【手続補正６】
【補正対象書類名】明細書
【補正対象項目名】００２５
【補正方法】変更
【補正の内容】
【００２５】
本発明の第１１の電気光学装置は、本発明の第１から第１０の電気光学装置において、前記複数の走査線を駆動可能な走査線駆動回路と、前記走査線駆動回路とは別に前記複数の走査線を駆動可能な副走査線駆動回路とを備え、前記走査線駆動回路には、前記複数の走査線を接続し、前記副走査線駆動回路には、前記複数の走査線のうちの一部のみを選択的に接続したことを特徴としている。


【手続補正７】
【補正対象書類名】明細書
【補正対象項目名】００２８
【補正方法】変更
【補正の内容】
【００２８】
本発明の第１４の電気光学装置は、本発明の第１１から第１３の電気光学装置において、前記副走査線駆動回路には、前記複数の走査線のうち、表示画面の特定領域に配された走査線のみを選択的に接続したことを特徴としている。


【手続補正８】
【補正対象書類名】明細書
【補正対象項目名】００３３
【補正方法】変更
【補正の内容】
【００３３】
本発明の第１９の電気光学装置は、本発明の第１から第１８の電気光学装置において、一画面分の走査線が駆動される期間内に、前記データ線駆動回路と前記副データ線回路とを切り替えて前記複数のデータ線を駆動することを特徴としている。


【手続補正９】
【補正対象書類名】明細書
【補正対象項目名】００３４
【補正方法】変更
【補正の内容】
【００３４】
また、上記目的を達成するために、本発明の第１の電気光学装置の駆動方法は、格子状に配線された複数のデータ線及び複数の走査線と、前記複数のデータ線と前記複数の走査線との各交差部に対応して配置された電気光学素子と、を備えた電気光学装置の駆動方法であって、前記複数のデータ線を駆動可能なデータ線駆動回路と、前記データ線駆動回路とは別に前記複数のデータ線を駆動可能な副データ線駆動回路とを切り替えて前記複数のデータ線を駆動することを特徴としている。


【手続補正１０】
【補正対象書類名】明細書
【補正対象項目名】００３５
【補正方法】変更
【補正の内容】
【００３５】
本発明の第２の電気光学装置の駆動方法は、本発明の第１の電気光学装置の駆動方法において、前記データ線駆動回路には、前記複数のデータ線を接続し、前記副データ線駆動回路には、前記複数のデータ線のうちの一部のみを選択的に接続したことを特徴としている。


【手続補正１１】
【補正対象書類名】明細書
【補正対象項目名】００３６
【補正方法】変更
【補正の内容】
【００３６】
本発明の第３の電気光学装置の駆動方法は、本発明の第１又は第２の電気光学装置の駆動方法において、前記副データ線駆動回路が、デコーダを備えていることを特徴としている。


【手続補正１２】
【補正対象書類名】明細書
【補正対象項目名】００４０
【補正方法】変更
【補正の内容】
【００４０】
本発明の第７の電気光学装置の駆動方法は、本発明の第１から第６の電気光学装置の駆動方法において、前記副データ線駆動回路には、前記複数のデータ線のうち、表示画面の特定領域に配されたデータ線のみを選択的に接続したことを特徴としている。


【手続補正１３】
【補正対象書類名】明細書
【補正対象項目名】００４２
【補正方法】変更
【補正の内容】
【００４２】
本発明の第９の電気光学装置の駆動方法は、本発明の第８の電気光学装置の駆動方法において、前記副データ線駆動回路には、前記一部の色に対応したデータ線であって、表示画面の特定領域に配されたデータ線のみを選択的に接続したことを特徴としている。


【手続補正１４】
【補正対象書類名】明細書
【補正対象項目名】００４４
【補正方法】変更
【補正の内容】
【００４４】
本発明の第１１の電気光学装置の駆動方法は、本発明の第１から第１０の電気光学装置の駆動方法において、前記複数の走査線を接続し、当該複数の走査線を駆動可能な走査線駆動回路と、前記複数の走査線のうちの一部のみを選択的に接続し、前記走査線駆動回路とは別に当該一部の走査線を駆動可能な副走査線駆動回路とを切り替えて前記複数の走査線を駆動することを特徴としている。


【手続補正１５】
【補正対象書類名】明細書
【補正対象項目名】００４７
【補正方法】変更
【補正の内容】
【００４７】
本発明の第１４の電気光学装置の駆動方法は、本発明の第１１から第１３の電気光学装置の駆動方法において、前記副走査線駆動回路には、前記複数の走査線のうち、表示画面の特定領域に配された走査線のみを選択的に接続したことを特徴としている。


【手続補正１６】
【補正対象書類名】明細書
【補正対象項目名】００５３
【補正方法】変更
【補正の内容】
【００５３】
また、上記目的を達成するために、本発明の第１の有機エレクトロルミネッセンス表示装置は、格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記複数の行方向配線を駆動可能な行駆動回路と、を備えた有機エレクトロルミネッセンス表示装置において、
前記データ線駆動回路とは別に、デコーダを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴としている。


【手続補正１７】
【補正対象書類名】明細書
【補正対象項目名】００５４
【補正方法】変更
【補正の内容】
【００５４】
本発明の第２の有機エレクトロルミネッセンス表示装置は、格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記行方向配線を駆動可能な行駆動回路と、を備えた有機エレクトロルミネッセンス表示装置において、前記データ線駆動回路とは別に、シフトレジスタを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴としている。


【手続補正１８】
【補正対象書類名】明細書
【補正対象項目名】００５７
【補正方法】変更
【補正の内容】
【００５７】
本発明の第５の有機エレクトロルミネッセンス表示装置は、本発明の第１から第４の有機エレクトロルミネッセンス表示装置において、前記副データ線駆動回路には、前記複数のデータ線のうち、表示画面の特定領域に配されたデータ線のみを選択的に接続したことを特徴としている。


【手続補正１９】
【補正対象書類名】明細書
【補正対象項目名】００６０
【補正方法】変更
【補正の内容】
【００６０】
本発明の第８の有機エレクトロルミネッセンス表示装置は、本発明の第６又は第７の有機エレクトロルミネッセンス表示装置において、前記副データ線駆動回路には、前記一部の色に対応したデータ線であって、表示画面の特定領域に配されたデータ線のみを選択的に接続したことを特徴としている。


【手続補正２０】
【補正対象書類名】明細書
【補正対象項目名】００６２
【補正方法】変更
【補正の内容】
【００６２】
本発明の第１０の有機エレクトロルミネッセンス表示装置は、本発明の第１から第８の有機エレクトロルミネッセンス表示装置において、前記行駆動回路とは別に、デコーダを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴としている。


【手続補正２１】
【補正対象書類名】明細書
【補正対象項目名】００６３
【補正方法】変更
【補正の内容】
【００６３】
本発明の第１１の有機エレクトロルミネッセンス表示装置は、本発明の第１から第８の有機エレクトロルミネッセンス表示装置において、前記行駆動回路とは別に、シフトレジスタを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴としている。


【手続補正２２】
【補正対象書類名】明細書
【補正対象項目名】００６４
【補正方法】変更
【補正の内容】
【００６４】
本発明の第１２の有機エレクトロルミネッセンス表示装置は、本発明の第１０又は第１１の有機エレクトロルミネッセンス表示装置において、前記副行駆動回路には、前記複数の行方向配線のうち、表示画面の特定領域に配された行方向配線のみを選択的に接続したことを特徴としている。


【手続補正２３】
【補正対象書類名】明細書
【補正対象項目名】００７２
【補正方法】変更
【補正の内容】
【００７２】
また、本発明の第３の電気光学装置及び電気光学装置の駆動方法にあっては、副データ線駆動回路が、デコーダを含んで構成されているから、それに接続されたデータ線のうちの任意のデータ線を選択的に駆駆動させることもできる。